(57)【要約】【課題】ユニット同士を連結するだけでそれらのユニット同士を通信可能に接続することができる部屋ユニットを提供する。【解決手段】部屋ユニット１は、ユニット同士を連結して使用可能な部屋ユニットであって、少なくとも１人のユーザが使用可能な内部空間を有するカプセル本体４と、内部空間へユーザが出入りするための出入口５と、出入口５を開閉自在に閉塞する扉６とを有する卵形のカプセル体２と、ユニット同士を連結解除可能に連結するべくカプセル体２に設けられた連結部９Ｌ、９Ｒと、ユニット同士を連結すると同時に両者を互いに通信可能に接続するべく連結部９Ｌ、９Ｒに設けられた通信端子とを備える。【選択図】      図１
2004293214.tif 000002
【特許請求の範囲】
【請求項１】
ユニット同士を連結して使用可能な部屋ユニットであって、少なくとも１人のユーザが使用可能な内部空間を有するカプセル本体と、前記内部空間へユーザが出入りするための出入口と、前記出入口を開閉自在に閉塞する扉とを有するカプセル体と、
ユニット同士を連結解除可能に連結するべく前記カプセル体に設けられた連結部と、
ユニット同士を連結すると同時に両者を互いに通信可能に接続するべく前記連結部に設けられた通信端子と、
を備えた部屋ユニット。
【請求項２】
ユニット同士を連結して使用可能な部屋ユニットであって、
少なくとも１人のユーザが使用可能な内部空間を有するカプセル本体と、前記内部空間へユーザが出入りするための出入口と、前記出入口を開閉自在に閉塞する扉とを有するカプセル体と、
ユニット同士を接離自在に連結するべく前記カプセル体に設けられた連結部と、
ユニット同士を無線接続する無線通信装置と、
を備えた部屋ユニット。
【請求項３】
前記カプセル体が全天候型のカプセル体である請求項１または２記載の部屋ユニット。
【請求項４】
ユニット同士を連結すると同時に両者の電力系を接続するべく前記連結部に電力端子を設けた請求項１〜３の何れかに記載の部屋ユニット。
【請求項５】
前記連結部が前記カプセル体の複数箇所に設けられている請求項１〜４の何れかに記載の部屋ユニット。
【請求項６】
前記カプセル体が略卵形または略球形に形成されている請求項１〜５の何れかに記載の部屋ユニット。
【請求項７】
前記カプセル体を支持しつつ従動回転する脚輪を備えた請求項１〜６の何れかに記載の部屋ユニット。
【請求項８】
請求工１〜７の何れかの部屋ユニットであって、部屋ユニットは移動可能式であることを特徴とする部屋ユニット。
【請求項９】
請求項１〜８の何れかの部屋ユニットを複数備えたカプセルオフィスシステム。
【請求項１０】
請求項１〜８の何れかの部屋ユニットを複数備えたカプセルオフィスシステムと、
カプセルオフィスシステムと、カプセルオフィスシステムと通信端子を介して接続される通信ネットワークと、通信ネットワークに接続されて備えられたサーバーとから構成されるシステムであって、
前記サーバーには、部屋ユニットの利用者に関する情報を記憶する利用者情報記憶手段と、利用者が部屋ユニットに備えられた通信端末装置から送信される商品またはサービス利用に関するデータを受信する利用データ受信手段と、商品またはサービスの利用に応じ部屋ユニットの利用者ごとの料金情報を記憶する料金情報記憶手段とが少なくとも備えられたことを特徴とする、カプセルオフィスシステム。
【発明の詳細な説明】
【０００１】
【発明の属する技術分野】
本発明は、複数連結して使用可能な部屋ユニットおよび複数の部屋ユニットを有するカプセルオフィスシステムに関するものである。
【０００２】
【従来の技術】
従来、オフィスを部屋ユニットの集合体として構成し、各部屋ユニットを空調・電源のサプライ及び通信系のシャフトを担う設備ユニットを介して連結してなるオフィスシステムが知られている。（特許文献１）
【０００３】
また、複数のユーザが使用する共用空間を備えたマザー建築物に、各ユーザのプライベート空間となる複数の部屋ユニット（ハウスユニット）を着脱可能に連結してなる多目的居住システムも知られている。（特許文献２）
【０００４】
また、既存の建物の床に適宜設置可能な部屋ユニット（作業空間モジュール）も知られている。（特許文献３）
特許文献１：特開２００１−２４１１９６号公報
特許文献２：特開２００１−４９８７７号公報
特許文献３：特開平６−２６２１８号公報
【０００５】
【発明が解決しようとする課題】
しかし、上述した従来の部屋ユニットは何れも、ユニット同士を連結しただけではユニット同士の通信系は接続されないため、ユニット同士を連結する作業とは別に通信ケーブルなどを用いて通信系を接続する作業を行う必要があった。
【０００６】
また、特許文献１および２のシステムは、複数の部屋ユニットを設備ユニットやマザー建築物を介して連結することによりオフィスのビルディング自体を構成するものであり、部屋ユニットを必要に応じて屋外や既存の建物の空きスペースなどに設置して使用することはできない。
【０００７】
また、特許文献３の部屋ユニットは、既存の建物の床に設置されるものであるが、各ユーザのプライバシーと作業空間の開放性とを両立するために、作業空間の周囲のみ隔壁で囲った構造になっている。したがって、部屋ユニットを屋外に設置して使用することはできない。
【０００８】
本発明は、上記のような事情の下に創案されたものであり、その目的は、ユニット同士を連結するだけでそれらのユニット同士を通信可能に接続することができる部屋ユニットを提供し、さらには屋外や既存の建物内の任意の場所に設置して使用することができる部屋ユニットを提供することにある。加えて、これらの部屋ユニットを用いたカプセルオフィスシステムを提供することを目的とする。
【０００９】
【課題を解決するための手段】
上記目的を達成するために本発明の部屋ユニットは、ユニット同士を連結して使用可能な部屋ユニットであって、少なくとも１人のユーザが使用可能な内部空間を有するカプセル本体と、前記内部空間へユーザが出入りするための出入口と、前記出入口を開閉自在に閉塞する扉とを有するカプセル体と、ユニット同士を連結解除可能に連結するべく前記カプセル体に設けられた連結部と、ユニット同士を連結すると同時に両者を互いに通信可能に接続するべく前記連結部に設けられた通信端子と、を備えたものである。
【００１０】
上記のように構成された部屋ユニットは、ユニット同士を連結すると同時にユニット同士が通信可能に接続されるので、ユニット同士を連結する作業と別に両者の通信系を接続する作業を行う必要がない。
【００１１】
別の本発明の部屋ユニットは、ユニット同士を連結して使用可能な部屋ユニットであって、少なくとも１人のユーザが使用可能な内部空間を有するカプセル本体と、前記内部空間へユーザが出入りするための出入口と、前記出入口を開閉自在に閉塞する扉とを有するカプセル体と、ユニット同士を接離自在に連結するべく前記カプセル体に設けられた連結部と、ユニット同士を無線接続する無線通信装置と、を備えたものである。
【００１２】
上記のように構成された部屋ユニットは、ユニット同士を無線接続する無線通信装置を備えているので、ユニット同士を連結する作業と別に両者の通信系を接続する作業を行う必要がない。
【００１３】
また、前記カプセル体は全天候型のカプセル体であることが望ましい。ここで、全天候型とは、屋内や晴天時のみならず、雨、雪、強風など悪天候時に屋外でも使用可能な程度の内外空間遮断性すなわち、適度な防水性および適度な気密性を有するという意味である。
【００１４】
上記のように構成された部屋ユニットは、前記カプセル体が全天候型であるので、屋内に限らず屋外に設置して使用することもできる。
また、前記部屋ユニットは、ユニット同士を連結すると同時に両者の電力系を接続するべく前記連結部に電力端子を備えていることが望ましい。
【００１５】
上記のように構成された部屋ユニットは、ユニット同士を連結すると同時に両者の電力系が接続されるので、ユニット同士を連結する作業と別に両者の電力系を接続する作業を行う必要がない。
【００１６】
また、前記連結部は、前記カプセル体の複数箇所に設けられていることが望ましい。連結部をカプセル体の複数箇所に設けておけば、部屋ユニットを３つ以上連結することができる。
【００１７】
また、前記カプセル体は、略卵形または略球形に形成されていることが望ましい。カプセル体を略卵形または略球形に形成することにより、構造的に高い強度が得られるとともにＳＦ映画などに登場するような未来的かつ美的な外観を実現できる。
【００１８】
また、前記部屋ユニットは、前記カプセル体を支持しつつ従動回転する脚輪を備えていることが望ましい。カプセル体が脚輪を備えていることにより、設置位置の変更時などに部屋ユニットを容易に移動させることができる。
【００１９】
また、本発明のカプセルオフィスシステムは、本発明の部屋ユニットを複数備えて構成される。
本発明の部屋ユニットを複数備えることにより、ユニット同士の通信系さらには電力系の接続作業が不要なカプセルオフィスシステムを構築することができる。また、屋外や建物内の空きスペースなど任意の場所にカプセルオフィスシステムを構築することができる。
【００２０】
さらに、本発明のカプセルオフィスシステムは、部屋ユニットを複数備えたカプセルオフィスシステムと、カプセルオフィスシステムと、カプセルオフィスシステムと通信端子を介して接続される通信ネットワークと、通信ネットワークに接続されて備えられたサーバーとから構成されるシステムとして、通信ネットワークを介して様々なサービスの提供や商品の購入などを部屋ユニット利用者に提供することができる。
サーバーには、部屋ユニットの利用者に関する情報を記憶する利用者情報記憶手段と、利用者が部屋ユニットに備えられた通信端末装置から送信される商品またはサービス利用に関するデータを受信する利用データ受信手段と、商品またはサービスの利用に応じ部屋ユニットの利用者ごとの料金情報を記憶する料金情報記憶手段とが少なくとも備えられ、利用に応じた課金を行うことができる。
【００２１】
【発明の実施の形態】
以下、図面を参照して本発明の実施の形態を説明する。
【００２２】
［第１の実施の形態］
図１は本発明の部屋ユニットの実施の形態の一例を示す図であり、（ａ）は正面図、（ｂ）は背面図、（ｃ）は右側面図、（ｄ）は左側面図である。
【００２３】
図１に示すように、部屋ユニット１は、略卵形に形成された自立構造のカプセル体２を備えており、ユニット単位で搬送し既存の建物の床ＦＬなどに容易に設置できるようになっている。また、カプセル体２の背面側下端部には左右一対の脚輪１６が設けられており、カプセル体２を若干後傾状態にすることにより、脚輪１６を使用して容易に移動させることができるようになっている。
【００２４】
カプセル体２は、全天候型のカプセルであり、少なくとも１人のユーザが使用可能な内部空間３（図２参照）を有するカプセル本体４と、内部空間３へユーザが出入りするための出入口５と、出入口５を開閉自在に閉塞する扉６とを有している。カプセル本体４内には、通信系を構成する通信配線および電力系を構成する電力配線が敷設されている。
【００２５】
カプセル本体４の側壁の下側半分は、強固な不透明の板材（スチール板、ガラス繊維強化プラスチック板、等）７で構成されている。カプセル本体４の上側半分は、内部空間３内に外光を採り込めるようにその大部分が適度な光透過性を有する樹脂性の板材８で構成されている。これらの板材７、８は互いに接合されるとともに、図示しないフレームによって強固に保持されている。扉６は、上記フレームに片側がヒンジ機構を介して水平回動可能に連結されている。扉６の材質はカプセル本体４の側壁の下半分と同じである。
【００２６】
カプセル体２の下端近傍の左右両側には、隣接する部屋ユニット１同士を必要に応じて連結するための連結部９Ｌ、９Ｒが形成されている。連結部９Ｌ、９Ｒには、図示しない通信端子と電力端子が設けられており、隣接する部屋ユニット１の連結部９Ｌ、９Ｒ同士を連結すると、同時に両者の通信端子同士、電力端子同士が接続される構造になっている。
【００２７】
図２は部屋ユニット１を複数（この例では３つ）連結した状態を例示する図であり、（ａ）は正面図、（ｂ）は水平断面図である。この例では、隣接する部屋ユニット１の連結部９Ｌ、９Ｒ同士を連結用のアダプタ１０を介して連結しているが、連結部９Ｌ、９Ｒ同士を直接相互接続できる構成とすることも可能である。
【００２８】
図２のように、隣接する部屋ユニット１の連結部９Ｌ、９Ｒ同士を連結することにより、互いに連結された全ての部屋ユニット１の通信系および電力系が相互に接続される。その結果、相互に接続された通信系は、公衆回線への接続が可能なネットワーク、およびＩＳＯに準拠した標準的な通信規約（ＴＣＰ／ＩＰなど）に基づく通信が可能なネットワークを形成する。また、相互に接続された電力系は各部屋ユニット１に一定の電力を分配可能なタップ回路を構成する。
【００２９】
したがって、図２の場合、両端に位置する少なくとも一方の部屋ユニット１１Ｌまたは１Ｒのユニット間連結に使用されていない方の連結部、すなわち部屋ユニット１Ｌの場合は連結部９Ｌ、部屋ユニット１Ｒの場合は連結部９Ｒの通信端子をＬＡＮやインターネット、公衆回線などの外部の通信ネットワークに接続するとともに、電力端子を電力供給源に接続することにより、互いに連結された全ての部屋ユニット１からＬＡＮやインターネット、公衆回線などに接続可能となる。
【００３０】
図３は部屋ユニット１の内部構造を例示する図であり、（ａ）は水平断面図、（ｂ）は縦断面図である。図示するように、カプセル本体４の内部空間３には、パーソナルコンピュータなどの通信端末装置１１やプリンタ１２、電話機（ファクシミリを含む）１３などを設置するための作業卓１４と脚輪付きの椅子１５とが設けられている。また、カプセル本体４の天井部には、図示しない照明装置や空調装置などが設けられている。
【００３１】
作業卓１４は、カプセル本体４の内壁に固定して設置されている。作業卓１４の前縁部１４ａは、ユーザの作業性を考慮して円弧状に切り欠かれている。椅子１５は、カプセル本体４の床に設置されている。また、作業卓１４の下方両側には棚１８が設けられている。作業卓１４あるいはその近傍には、通信端末装置１１を通信系に接続するための図示しないケーブル接続端子や、通信端末装置１１やその他の機器を電力系に接続するための図示しないコンセントが設けられている。したがって、各部屋ユニット１では、通信端末装置１１の通信ケーブルをケーブル接続端子に接続し、電力ケーブルをコンセントに接続することにより、通信端末装置１１をＬＡＮやインターネットに接続して使用することができる。
【００３２】
上記のように、この実施の形態の部屋ユニット１によれば、隣接する部屋ユニット１の連結部９Ｌ、９Ｒ同士を連結するだけで、同時に両者の通信端子同士および電力端子同士の接続が完了するので、部屋ユニット１同士を連結する作業と別に両者の通信系や電力系を接続する作業を行う必要がない。したがって、複数の部屋ユニット１からなるカプセルオフィスシステムを極めて容易に構築することができる。
【００３３】
また、部屋ユニット１は、全天候型のカプセル体４を備えているので、屋内に限らず屋外に設置して使用することもできる。したがって、屋外駐車場や空地などのスペースを利用して複数の部屋ユニット１からなるカプセルオフィスシステムを屋外に構築することもできる。
【００３４】
また、部屋ユニット１のカプセル体４が略卵形に形成されていることにより、構造的に高い強度が得られるとともにＳＦ映画などに登場するような未来的かつ美的な外観を実現できる。
【００３５】
［第２の実施の形態］
上記の実施の形態では、隣接する部屋ユニット１同士を連結するための連結部（９Ｌ、９Ｒ）がカプセル体２の左右のみに形成されているため、複数の部屋ユニット１を直線的にしか連結することができないが、同様の連結部をさらにカプセル体２の前後にも設けておけば、図４〜図９に示すような様々な連結形態を実現することができる。
【００３６】
また、同様の連結部をさらに別の位置にも設けておけば、図１０〜図１２に示すような連結形態も実現することができる。
図１０は、３台の部屋ユニットの連結配置形態の一例を示す。また図１１は、５台の部屋ユニットの連結配置形態の一例を示す。また図１２は、９台の部屋ユニットの連結配置形態の一例を示す。
図１３は、各種の台数の部屋ユニットの連結配置形態の様々な一例を示す図である。
【００３７】
上記何れの連結形態においても、隣接する部屋ユニット１同士の連結および連結解除、並びに通信系同士や電力系同士の接続および接続解除をワンタッチで行うことができるので、利用状況等に応じてユニット数を容易に増減することができる。また、部屋ユニット１の配置レイアウトの変更も容易に行うことができる。
【００３８】
次に、部屋ユニット１は、設置場所や用途、部屋ユニット１内部の構成などに応じて、様々なサイズや内部構成を採用することができる。図１４から図１６は、これらの様々なサイズや内部構成の一例を示す水平断面図である。
図１４は、約１．８ｍ四方のスペースに収まる約１坪（部屋ユニット約０．８坪）の構成の一例を示し、（ａ）は部屋ユニット１の基本形状を、（ｂ）は部屋ユニットに１人用の椅子とその正面にデスクを設けた構成を、（ｃ）は部屋ユニットに１人用の椅子とその正面および左右にわたりデスクを設けた構成のそれぞれ一例を示している。
図１５は、約２．４ｍ四方のスペースに収まる約１．８坪（部屋ユニット約１．４坪）の構成の一例を示し、（ａ）は部屋ユニット１の基本形状を、（ｂ）は部屋ユニットに１人用の椅子とその正面にデスクを設けた構成を、（ｃ）は部屋ユニットに１人用の椅子とその正面および左右にわたりデスクを設けた構成のそれぞれ一例を示している。
図１６は、約３．０ｍ四方のスペースに収まる約２．８坪（部屋ユニット約２．１坪）の構成の一例を示し、（ａ）は部屋ユニット１の基本形状を、（ｂ）は部屋ユニットに１人用の椅子とその正面にデスクを設けた構成を、（ｃ）は部屋ユニットに１人用の椅子とその正面および左右にわたりデスクを設けた構成のそれぞれ一例を示している。
また、部屋ユニット１の内部構成は、これ以外にも、会議室用や、ショップ、各種ルーム、仮説室、宿泊可能施設、遊戯施設、娯楽施設、休憩所、飲食施設、その他の様々な多目的な用途に利用することができる。ショップや各種のサービス提供施設などにおいては、販売行為などを行えるようにしてもよい。
【００３９】
［第３の実施の形態］
図１７は本発明のカプセルオフィスシステムの実施の形態を例示する縦断面図である。このカプセルオフィスシステム２０は屋外に構築される二階建て構造のシステムであり、台座を兼ねて地面ＧＬに設置される第１の床体２１と、第１の床体２１の中心部に立設される主柱２２と、第１の床体２１の中央部に主柱２２と同軸に配置して立設される円筒構造の中央構造体２３と、第１の床体２１の上面から部屋ユニット１の高さよりも離間させて設けられる第２の床体２４とを備えている。
【００４０】
第１の床体２１と第２の床体２４は、それぞれカプセルオフィスシステム２０の１階の床と２階の床を構成している。両床体２１、２４は、外形寸法が互いに等しい円板形状の構造体であり、どちらも強固なフレームと床板とを用いて形成されている。第２の床体２４は、第１の床体２１の周縁部に立設された４本の副柱２５によって支持されている。第２の床体２４の中央部には円形の開口部２４ａが設けられている。第２の床体２４の開口部２４ａには中央構造体２３が挿入された状態で嵌合している。
【００４１】
中央構造体２３の内部には、主柱２２を取り巻くようにして１階と２階とを結ぶ鉄製の螺旋階段２５が設けられている。中央構造体２３の側壁の下端部および上端部には１階出入口２３ａおよび２階出入口２３ｂが設けられている。螺旋階段２５は、溶接またはボルト締結等の方法で親柱２２に強固に固定されている。中央構造体２３の上端にはテント構造の軽量な屋根２７が取り付けられている。
【００４２】
図１８はカプセルオフィスシステム２０の１階部分の平面図、図１９は２階部分の平面図である。図示するように、各階には複数の部屋ユニット１が周方向に連結して環状に設置されている。だだし、１階出入口２３ａに面する部分のスペースは、カプセルオフィスシステム２０へユーザが出入りするための通路として使用されている。部屋ユニット１の連結部９Ｌ、９Ｒ同士は連結角度を調節可能なアダプタ１０を介して連結されている。また、各部屋ユニット１は、図示しない連結金具を用いて各階の床に固定されている。
【００４３】
上記のような二階建て構造のカプセルオフィスシステム２０によれば、屋外の小さな空きスペースを有効に利用して、多数の部屋ユニット１を備えたカプセルオフィスシステムを構築することができる。
【００４４】
また、主柱２２および中央構造体２３を更に高くして、第２の床体２４の上方にさらに３階用の床体を増設し、３階にも部屋ユニット１を設置すれば、図２０に示すような三階建て構造のカプセルオフィスシステム３０を構築することができる。無論、四階建て以上の多階層構造のカプセルオフィスシステムを構築することも可能である。
【００４５】
［第４の実施の形態］
以上の実施の形態では、略卵形のカプセル体４を備えた部屋ユニット１を例にとり説明したが、カプセル体４の形状は略球形や直方体形としてもよい。
【００４６】
図２１は直方体形のカプセル体を備えた部屋ユニットの例であり、この部屋ユニットの場合も隣接する部屋ユニット４０の連結部同士を連結するだけで、同時に両者の通信端子同士および電力端子同士の接続が完了する。したがって、図２２、図２３に示すような複数の部屋ユニット１からなるカプセルオフィスシステム５０、６０を極めて容易に構築することができる。
【００４７】
図２４は、カプセル体４の形状を様々に構成した別の一例を示す水平断面図および側面断面図である。
（ａ）はこれまでに述べた略卵形のカプセル体を示し、（ｂ）は断面を円形（または略円形）としながらも円筒形状にしたカプセル体の一例を示す。また（ｃ）は断面を平方形または略正方形とした立方体形状のカプセル体の一例を示し、（ｄ）は断面を多角形（ここでは八角形）とした立方体形状のカプセル体の一例を示す。デスクや椅子などの内部の構成は、図２４においては前述した１坪タイプの物として示しているが、カプセル体のサイズや内部の構成は様々なものを採用することができる。
またこれ以外にも楕円形、六角形、その他の様々な形状の水平断面を採用することができ、側面の断面も様々なものを採用することが可能である。
【００４８】
なお、以上の実施の形態では、互いに隣接する部屋ユニットの連結部同士を連結することにより両部屋ユニット同士が通信可能に接続される構成について示したが、各部屋ユニットにユニット同士を無線接続する無線通信装置を設けても同様の効果が得られる。無線通信装置としては、ブルートゥースや無線ＬＡＮなどに対応した近距通信離用の装置を使用することができる。
図２５は、部屋ユニット同士を接続するための、電力系の接続ユニットの一例を示し、部屋ユニットを図１３に一例を示したように様々な形態で連結可能にするために、３方向に自由に連結可能な構成の例が示されている。図２６は各部屋ユニットに設けられる分電盤の結線図の一例を示す。
図２７および図２８は、通信システムと、部屋ユニットを利用するための料金管理システム設備と、セキュリティ対策のための防犯・警備保障システムの接続ユニットの一例を示す。図２７においても、部屋ユニットを図１３に一例を示したように様々な形態で連結可能にするために、３方向に自由に連結可能な構成の例が示されている。
さらに、用途や目的などに応じ、給水設備、給湯設備、排水設備、ガス供給設備、その他の設備を備えていてもよい。
【００４９】
図２９は、部屋ユニットをレンタル式のオフィスその他の用途スペースとして提供する際の、システムの好ましい処理のフローチャートの一例を示す。
利用をする際には、カード式、その他の方法（たとえば非接触式ＩＣカードやタグ、ＩＣタグ利用の携帯電話）を利用して、ユーザー認識・認証を行い、利用をすることにより料金管理システムが起動する。また、電源がオンになり、照明、換気扇、エアコンなどを自動または手動操作により利用可能状態にすることができる。
利用を終了する際には、電源切断やドアロック、ユーザー認証処理などにより、料金管理システムが利用終了を記録し、電源などがオフになる。
【００５０】
また、本発明の部屋ユニットは、オフィスとしてだけでなく、カラオケボックス、リラクゼーションルームなど多種多様な用途に利用できる。
【００５１】
［第５の実施の形態］
さらに、本発明のカプセルオフィスシステムは、部屋ユニットを複数備えたカプセルオフィスシステムと、カプセルオフィスシステムと、カプセルオフィスシステムと通信端子を介して接続される通信ネットワークと、通信ネットワークに接続されて備えられたサーバーとから構成されるシステムとして、通信ネットワークを介して様々なサービスの提供や商品の購入などを部屋ユニット利用者に提供することができる。
サーバーには、部屋ユニットの利用者に関する情報を記憶する利用者情報記憶手段と、利用者が部屋ユニットに備えられた通信端末装置から送信される商品またはサービス利用に関するデータを受信する利用データ受信手段と、商品またはサービスの利用に応じ部屋ユニットの利用者ごとの料金情報を記憶する料金情報記憶手段とが少なくとも備えられ、利用に応じた課金を行うことができる。
図３０は、本発明のカプセルオフィスシステムの実施形態の一例を示す図である。
また図３１は、本発明のカプセルオフィスシステムを利用して提供される商品・サービスの一例を示す図である。
【００５２】
本発明のカプセルオフィスシステムは、最小限のスペースで最大限のビジネス効果をあげるオフィス空間の提供することができ、通信ネットワークを介してサーバーにおいてデータの集中管理をすることにより、部屋ユニット利用者に対する各種の顧客サービスを提供することができる。
たとえば部屋ユニットをレンタルオフィスとして提供するだけではなく、利用時間内のインターネット、情報提供サービスや、コピー、プリント出力、電話、ＦＡＸ、秘書、通訳・翻訳、各種の予約サービス等のサービスを提供することができる。また通信ネットワークを利用してカプセルオフィスシステムの無人監視などのセキュリティシステムを組み合わせて利用することもできる。
【００５３】
【発明の効果】
以上説明したように、本発明の部屋ユニットによれば、ユニット同士を連結すると同時に両者の通信系同士が接続されるので、ユニット同士を連結する作業と別に両者の通信系を接続する作業を行う必要がない。したがって、部屋ユニットの増設や配置レイアウトの変更などを容易に行うことができる。
また、本発明の部屋ユニットは、屋外や既存の建物内の任意の場所に設置して使用することができる。
【００５４】
また、本発明のカプセルオフィスシステムは、屋外や既存の建物内の任意の場所にシステムを構築することができ、利用状況等に応じて部屋ユニット数の増減や配置レイアウトの変更などを容易に行うことができる。
さらに本発明のカプセルオフィスシステムは、部屋ユニットを複数備えたカプセルオフィスシステムと、カプセルオフィスシステムと、カプセルオフィスシステムと通信端子を介して接続される通信ネットワークと、通信ネットワークに接続されて備えられたサーバーとから構成されるシステムとして、通信ネットワークを介して様々なサービスの提供や商品の購入などを部屋ユニット利用者に提供し、利用に応じた課金を行うことができる。
【図面の簡単な説明】
【図１】本発明の部屋ユニットの実施の形態の一例を示す図であり、（ａ）は正面図、（ｂ）は背面図、（ｃ）は右側面図、（ｄ）は左側面図である。
【図２】図１に示す部屋ユニットを複数連結した状態を例示する図であり、（ａ）は正面図、（ｂ）は水平断面図である。
【図３】図１に示す部屋ユニットの内部構造を例示する図であり、（ａ）は水平断面図、（ｂ）は縦断面図である。
【図４】本発明の部屋ユニットの連結形態を例示する水平断面図である。
【図５】本発明の部屋ユニットの別の連結形態を示す水平断面図である。
【図６】本発明の部屋ユニットのさらに別の連結形態を示す水平断面図である。
【図７】本発明の部屋ユニットのさらに別の連結形態を示す水平断面図である。
【図８】本発明の部屋ユニットのさらに別の連結形態を示す水平断面図である。
【図９】本発明の部屋ユニットのさらに別の連結形態を示す水平断面図である。
【図１０】本発明の部屋ユニットのさらに別の連結形態を示す水平断面図である。
【図１１】本発明の部屋ユニットのさらに別の連結形態を示す水平断面図である。
【図１２】本発明の部屋ユニットのさらに別の連結形態を示す水平断面図である。
【図１３】各種の台数の部屋ユニットの連結配置形態の様々な一例を示す水平断面図である。
【図１４】約１．８ｍ四方のスペースに収まる約１坪（部屋ユニット約０．８坪）の構成の一例を示す水平断面図である。
【図１５】約２．４ｍ四方のスペースに収まる約１．８坪（部屋ユニット約１．４坪）の構成の一例を示す水平断面図である。
【図１６】約３．０ｍ四方のスペースに収まる約２．８坪（部屋ユニット約２．１坪）の構成の一例を示す水平断面図である。
【図１７】本発明のカプセルオフィスシステムの実施の形態を例示する縦断面図である。
【図１８】図１７に示すカプセルオフィスシステムの１階部分の平面図である。
【図１９】図１７に示すカプセルオフィスシステムの２階部分の平面図である。
【図２０】本発明のカプセルオフィスシステムの別の実施の形態を示す縦断面図である。
【図２１】本発明の部屋ユニットの別の実施の形態を示す斜視図である。
【図２２】図２１に示す部屋ユニットの連結形態を例示する水平断面図である。
【図２３】図２１に示す部屋ユニットの別の連結形態を示す水平断面図である。
【図２４】カプセル体４の形状を様々に構成した別の一例を示す水平断面図および側面断面図である。
【図２５】部屋ユニット同士を接続するための、電力系の接続ユニットの一例を示す図である。
【図２６】各部屋ユニットに設けられる分電盤の結線図の一例を示す図である。
【図２７】通信システムと、部屋ユニットを利用するための料金管理システム設備と、セキュリティ対策のための警備保障システムの接続ユニットの一例を示す図である。
【図２８】通信システムと、部屋ユニットを利用するための料金管理システム設備と、セキュリティ対策のための警備保障システムの接続ユニットの一例を示す図である。
【図２９】部屋ユニットをレンタル式のオフィスその他の用途スペースとして提供する際の、システムの好ましい処理の一例を示すフローチャートである。
【図３０】本発明のカプセルオフィスシステムの実施形態の一例を示す図である。
【図３１】本発明のカプセルオフィスシステムを利用して提供される商品・サービスのの一例を示す図である。
【符号の説明】
１：部屋ユニット
２：カプセル体
３：内部空間
４：カプセル本体
５：出入口
６：扉
８：板材
９Ｌ：連結部
９Ｒ：連結部
１１：通信端末装置
１４：作業卓
１５：椅子
１６：脚輪
２０：カプセルオフィスシステム
３０：カプセルオフィスシステム
４０：部屋ユニット
５０：カプセルオフィスシステム
６０：カプセルオフィスシステム
ＦＬ：床
ＧＬ：地面
【図１】
2004293214.tif 000003
【図２】
2004293214.tif 000004
【図３】
2004293214.tif 000005
【図４】
2004293214.tif 000006
【図５】
2004293214.tif 000007
【図６】
2004293214.tif 000008
【図７】
2004293214.tif 000009
【図８】
2004293214.tif 000010
【図９】
2004293214.tif 000011
【図１０】
2004293214.tif 000012
【図１１】
2004293214.tif 000013
【図１２】
2004293214.tif 000014
【図１３】
2004293214.tif 000015
【図１４】
2004293214.tif 000016
【図１５】
2004293214.tif 000017
【図１６】
2004293214.tif 000018
【図１７】
2004293214.tif 000019
【図１８】
2004293214.tif 000020
【図１９】
2004293214.tif 000021
【図２０】
2004293214.tif 000022
【図２１】
2004293214.tif 000023
【図２２】
2004293214.tif 000024
【図２３】
2004293214.tif 000025
【図２４】
2004293214.tif 000026
【図２５】
2004293214.tif 000027
【図２６】
2004293214.tif 000028
【図２７】
2004293214.tif 000029
【図２８】
2004293214.tif 000030
【図２９】
2004293214.tif 000031
【図３０】
2004293214.tif 000032
【図３１】
2004293214.tif 000033